(57)【要約】      （修正有）【課題】主に香り成分に有する薬用効果を身近に継続して利用することのできる療法機能性眼鏡及び眼鏡用療法パッドを提供する。【解決手段】両リム５に鼻当て基部８を突設した眼鏡１と、両鼻当て基部８にそれぞれ取り替え可能に取り付ける芳香鼻当て１０とからなり、芳香鼻当て１０には、エッセンシャルオイルの含浸材１２を芳香が放出されるように充填してある。【効果】身近にある眼鏡を着用することにより、エッセンシャルオイルの香りを直接的に効率よく取り入れ、その香りや薬用効果を持続的に有効に利用することができる。【選択図】図１
2007020975.tif 000002
【特許請求の範囲】
【請求項１】
両リムに鼻当て基部を突設した眼鏡と、両鼻当て基部にそれぞれ取り替え可能に取り付ける芳香鼻当てとからなり、芳香鼻当てには、エッセンシャルオイルの含浸材を芳香が放出されるように充填してあることを特徴とする療法機能性眼鏡。
【請求項２】
鼻当て基部にアリ溝形に開口が狭い取付孔を設け、芳香鼻当てをプラスチックで形成するとともに、鼻当て基部の取付孔に着脱可能に嵌まる取付片を突設し、その先端に脱出しがたく膨出頭部が形成してあることを特徴とする請求項１記載の療法機能性眼鏡。
【請求項３】
眼鏡と、その両リムの間に取り付けられるカプセル収納体と、カプセル収納体に取り替え可能に嵌まる芳香カプセルとからなり、芳香カプセルは、エッセンシャルオイルの含浸材が充填され、外面にエッセンシャルオイルが揮発して抜ける通気穴が設けられていることを特徴とする療法機能性眼鏡。
【請求項４】
眼鏡の鼻当てパッドに着脱可能に被着されるほゞ同じ形状の軟質パッドであって、鼻当てパッドの周囲に嵌まる突縁が周囲に形成され、エッセンシャルオイルが含浸されていることを特徴とする眼鏡用療法パッド
【発明の詳細な説明】
【技術分野】
【０００１】
この発明は、身体に良好に作用する芳香効果や治療効果を備えることのできる療法機能性眼鏡及び眼鏡用療法パッドに関する。
【背景技術】
【０００２】
眼鏡は、レンズが嵌まる左右一対のリムをブリッジで連結し、左右両端には耳に掛けるツルが開閉可能に取り付けられたもので、左右リムにはブリッジの下において鼻当てが取り付けれ、両鼻当てが鼻に受けられることによって、眼鏡がずれ落ちないよう顔面に保持される。
【０００３】
鼻当ては、リムに溶接して突設される屈曲線材と、その先にネジで取り付けられるミニ小判形の基片と、基片に差し付ける切れ目を有する軟質プラスチックからなる鼻当てパッドからなり、屈曲線材の曲がりを変形させることにより、鼻当てパッドの位置や方向を調整できるようになっている。また、プラスチック製のフレームでは、両リムに鼻当てが突出して一体に形成される。いずれにしても、鼻当ての部分は、顔の中央にあってしかも臭いを嗅ぐことのできる鼻に近い位置にある。
【０００４】
一方、芳香剤については、日本人は古く香りを楽しむ風習があり、これが例えば、お香や、におい袋、５月の節句の菖蒲湯、冬至の日の柚湯などとして現在も続いているが、これは、香り成分に有する薬用効果を体内に取り入れたり、嗅いだりして、美容や健康増進に役立つ自然治療の効果が得られることが分かっていたからである。しかし、従来、芳香の効果を身近に継続して得ることはできなかった。
【発明の開示】
【発明が解決しようとする課題】
【０００５】
この発明は、上記のような実情に鑑みて、主に香り成分に有する薬用効果を身近に継続して利用することのできる療法機能性眼鏡及び眼鏡用療法パッドを提供することを課題とした。
【課題を解決するための手段】
【０００６】
上記の課題を解決するために、この発明は、両リムに鼻当て基部を突設した眼鏡と、両鼻当て基部にそれぞれ取り替え可能に取り付ける芳香鼻当てとからなり、芳香鼻当てには、エッセンシャルオイルの含浸材を芳香が放出されるように充填してあることを特徴とする療法機能性眼鏡を提供するものである。
【０００７】
療法機能性眼鏡を上記のように構成したから、両リムの鼻当て基部に芳香鼻当てを取り付けた状態で着用するもので、芳香鼻当ての含浸材から放出されるエッセンシャルオイルの芳香が他人にはわからない程度に僅かであっても、鼻近くであるため確実に嗅ぎ取り、その種類に応じてすがすがしい気分やリラックスした気分になり、こうした副交感神経の優位の気分により免疫力が向上し、後記のように様々な症状を改善し得る。なお、数時間で慣れにより芳香が効かなくなるので、適当な時間をおいて外したり他のエッセンシャルオイルのものと取り替えることが望ましい。
【０００８】
なお、鼻当て基部に対する芳香鼻当ての取り付け構造については様々となり、その構造の如何に係わらず同一技術思想に基づくものである限りこの発明の趣旨に反しないものとする。しかしながら、請求項２の如く、鼻当て基部にアリ溝形の取付孔を設け、それに嵌まる膨出頭部を有する取付片を突設した芳香鼻当てを使用すると、構造が簡単で取り付け状態が安定し着脱も容易である。
【０００９】
さらに、この発明は、眼鏡と、その両リムの間に取り付けられるカプセル収納体と、カプセル収納体に取り替え可能に嵌まる芳香カプセルとからなり、芳香カプセルは、エッセンシャルオイルの含浸材が充填され、外面にエッセンシャルオイルが揮発して抜ける通気穴が設けられていることを特徴とする療法機能性眼鏡を提供する。
【００１０】
療法機能性眼鏡を上記のように構成したから、眼鏡を療法機能に使用するときには、カプセル収納体に好みの又は療法に適する芳香カプセルを装填する。そうすると、通気穴からエッセンシャルオイルの香りが放出され、前記の場合と同様に、それが他人には分からない程度に僅かであっても、鼻近くであるために確実に嗅ぎ取り、その種類に応じて、すがすがしい気分やリラックスした気分になり、こうした副交感神経の優位の気分により免疫力が向上するが、直接免疫力が高まるものもある。例えば、ローズマリーやペパーミントには免疫力を高める作用があり、この香りを嗅ぐことを続けているとカゼにかかりにくい身体になる。ちなみに、療法との関係でエッセンシャルオイルの種類を挙げると次の通りである。
【００１１】
（１）落ち着きがないとき（鎮静作用）
ラベンダー、レモン、マージョラム、ローズウッド
（２）緊張しているとき
ベルガモット、マージョラム、シダーウッド
（３）眠れないとき
ジャーマンカモマイル、タンジェリン、リンデン、ラベンダー
（４）やる気がないとき
ジュニパー、レモン、ラロウ、グレープフルーツ、ローズマリー
（５）頭痛
ラベンダー、ペパーミント、ローズマリー、マージョラム、レモン
（６）冷房病、冷え症
ラベンダー、ジュニパー、パイン、サイプレス、ローズマリー
（７）消化不良
ペパーミント、コリアンダー、グレープフルーツ、ローズマリー
（８）気管支炎
ユーカリ  サンダルウッド、ベンゾイン、マージョラム
【００１２】
また、この発明は、眼鏡の鼻当てパッドに着脱可能に被着されるほゞ同じ形状の軟質パッドであって、鼻当てパッドの周囲に嵌まる突縁が周囲に形成され、エッセンシャルオイルが含浸されていることを特徴とする眼鏡用療法パッドを提供する。
【００１３】
眼鏡用療法パッドを上記のように構成したから、これを付けた眼鏡を着用すると、芳香が発散して上記と同様の作用が得られるが、直接鼻の皮膚に触れるので、特に蓄膿症に効くエッセンシャルオイルであると、その治療に強く作用する。このエッセンシャルオイルとしては、香りの良いものとしては、ラベンダー等が適していると考えられるが、ニンニクやドクダミから抽出したエッセンシャルオイルが適している。
【発明の効果】
【００１４】
以上説明したように、この発明によれば、身近にある眼鏡を着用することにより、エッセンシャルオイルの香りを直接的に効率よく取り入れ、その香りや薬用効果を持続的に有効に利用することができるという優れた効果がある。
【発明を実施するための最良の形態】
【００１５】
次に、この発明の実施の形態を図面に基づいて説明する。
【００１６】
図１および図２は、この発明の一実施の形態を示したもので、その療法機能性眼鏡Ｐは、フレームがプラスチック製の眼鏡１と、それに取り替え可能に取り付ける芳香鼻当て１０，１０とからなるものである。
【００１７】
眼鏡１は、普通の眼鏡と同様に、レンズ４，４が嵌まる両リム５，５がブリッジ７で連結され、両端にツル９，９が開閉可能に取り付けられるが、リム５，５には鼻当て基部８，８が突設され、鼻当て基部８には芳香鼻当て１０を着脱可能に取り付けるために取付孔１６が形成され、その取付孔１６は、アリ溝形であって、内部が拡張し開口が狭く形成される。したがって、特殊フレームであるが、構造が簡単であるので量産により安価な提供が可能である。
【００１８】
芳香鼻当て１０は、本体としての台がプラスチックにより形成され、その裏面に前記鼻当て基部８の取付孔１６に差し付ける二股の取付片１８が一体に成形され、その取付片１８の先端に膨出頭部１８ａが形成される。図２は、取り付けた状態を示したもので、膨出頭部１８ａが取付孔１６の拡張部１６ａに弾性変形を経て嵌まっているので、安定した取り付け状態が得られるが、力を加えると容易に外すことができる。なお、二股の空間２４が開閉することにより、取付片１８の弾性変形が促進される。
【００１９】
また、この芳香鼻当て１０の表面には凹部２０を設け、そこにエッセンシャルオイルの含浸材１２が充填され、含浸材１２が皮膚に触れないように、鼻当てキャップ２２が嵌められるようになっている。鼻当てキャップ２２の素材としては、軟質プラスチック、紙、不織布等が良好なものとして挙げられる。
【００２０】
含浸材１２には、連続気泡の多孔質のゴムが使用される。ちなみに、この製造については、ゴムの材料に塩または澱粉を混合して成形した後、塩または澱粉を溶出させる方法が取られる。これはシャチハタネームと称されるゴム印の素材として使用されているもので、エッセンシャルオイルの保持能力に非常に優れている。
【００２１】
図３は、類例の他の実施形態を示したもので、この場合は、芳香鼻当て１０には、エッセンシャルオイルの含浸材１２が充填される凹部２０が裏面に設けられる。また、この場合、鼻当て基部８は、クッション性を持たせるために弾性変形しやすく屈曲形に形成し、その先端に取付孔１６が設けられる。
【００２２】
図４ないし図６は、他の実施の形態を示したもので、その療法機能性眼鏡Ｐａは、眼鏡１と、それに着脱可能に取り付けるカプセル収納体２と、芳香カプセル３とからなり、眼鏡１には普通の金属フレームの眼鏡が使用される。つまり、その眼鏡１は、レンズ４，４を嵌める左右一対のリム５，５がブリッジ７で連結され、両端にツル９，９が開閉可能に取り付けられる。
【００２３】
そして、両リム５，５には、ブリッジ７の下方において鼻当て６，６が取り付けられ、鼻当て６は、リム５に溶接される屈曲線材１１の先に小ブロック１３を介して鼻当て基片１５を取り付け、それに軟質プラスチックからなる鼻当てパッド１７が取り付けられる。
【００２４】
カプセル収納体２は、芳香カプセル３を嵌め込む収納穴２３を有するキャップ状であって、その周囲に屈曲線材１１，１１に掛かる掛止鍔２５が突設され、上端にはブリッジ７に掛かるフック２７が形成される。
【００２５】
また、芳香カプセル３は、収納穴２３に丁度嵌まる円盤状であって、内部に芳香剤の含浸材２８が充填され、鼻当たり側において、通気穴３０，３０・・が形成されているので、眼鏡１を着用したときには、鼻の近くで香りが通気穴３０から漂うことになる。また、芳香カプセル３には、収納穴２３から引出しやすいように、周囲に爪掛け用の縁突条２９が形成されている。
【００２６】
使用するときには、上記のように眼鏡１に鼻当て６，６の屈曲線材１１，１とブリッジ７とに掛けておくが、使用しないときには取り外すことができる。また、使用において同一の香りを嗅ぐときには、長くて数時間程度を限度とし間をおく必要がある。これは慣れにより香りが効かなくなるからである。また、同じ意味から種類を変えることが望ましい。
【００２７】
含浸材２８は、多孔質のスポンジ状の吸着材にエッセンシャルオイル（又は香水）を含浸させたもので、それが揮発して残りが乏しくなったときには、新しい芳香カプセル３と取り替えられる。
【００２８】
図６は、芳香カプセル３を携帯する収納シート３１を示したもので、シート基板３２に芳香カプセル３が抜ける多数の穴３３，３３，・・が配列され、それにガスバリア性を有する面シート３５と裏シート３７とを貼着し、面シート３５に芳香カプセル３が納まるポケット３９，３９，・・が穴３３，３３，・・ごとに形成されている。なお、これは、薬の錠剤を密封するためのものと同一構造である。
【００２９】
図７は、同じく療法機能性眼鏡Ｐｂについて、他の実施形態を示したもので、眼鏡１が特別に作られており、カプセル収納体２がブリッジと兼用され、それに芳香カプセル３の収納穴２３が形成されている。その他の点については前記実施形態のものと同様である。
【００３０】
図８は、眼鏡用療法パッドＳについての一実施形態を示したもので、鼻当てパッド１７に当てて使用するように、それとほゞ同じ形状であって、それに被着できるように周囲に突縁４１が形成されている。また、材質的には多孔質のスポンジ状等であって、これにエッセンシャルオイルが含浸される。使用されるまでは、同じように密閉されている必要がある（図６参照）。
【図面の簡単な説明】
【００３１】
【図１】この発明の療法機能性眼鏡についての一実施形態を示す斜視図である。
【図２】同療法機能性眼鏡における芳香鼻当ての取付け構造を示す拡大断面図である。
【図３】他の実施形態による芳香鼻当ての取付け構造を示す断面図である。
【図４】この発明の療法機能性眼鏡についての別の実施形態を示す分解斜視図である。
【図５】同療法機能性眼鏡の使用状態を示す断面説明図である。
【図６】同療法機能性眼鏡における芳香カプセルの収納シートを示す断面図である。
【図７】さらに他の実施形態を示す図４に対応する斜視図である。
【図８】この発明の眼鏡用療法パッドの一実施形態を示す斜視図である。
【符号の説明】
【００３２】
Ｐ，Ｐａ，Ｐｂ  療法機能性眼鏡
Ｓ  眼鏡用療法パッド
１  眼鏡
２  カプセル収納体
３  芳香カプセル
５  リム
８  鼻当て基部
１０  芳香鼻当て
１２  含浸材
１６  取付孔
１７  鼻当てパッド
１８  取付片
１８ａ  膨出頭部
２８  含浸材
３０  通気穴
４１  突縁
【図１】
2007020975.tif 000003
【図２】
2007020975.tif 000004
【図３】
2007020975.tif 000005
【図４】
2007020975.tif 000006
【図５】
2007020975.tif 000007
【図６】
2007020975.tif 000008
【図７】
2007020975.tif 000009
【図８】
2007020975.tif 000010